(57)【要約】【課題】身体的又は精神的苦痛を伴わずに、アデノイド肥大の有無を判定することができるアデノイド肥大判定装置、アデノイド肥大判定方法及びプログラムを提供する。【解決手段】アデノイド肥大判定装置１において、アンチフォルマント周波数検出部１０は、被検者Ｐの発話に係る音声データの周波数スペクトルの包絡線における第１アンチフォルマント周波数を検出する。判定部１１は、アンチフォルマント周波数検出部１０で検出されたアンチフォルマント周波数に基づいて、被検者Ｐのアデノイド肥大を判定する。【選択図】図１
2019150234.tif 000002
【特許請求の範囲】
【請求項１】
被検者の発話に係る音声データの周波数スペクトルの包絡線におけるアンチフォルマント周波数を検出するアンチフォルマント周波数検出部と、
前記アンチフォルマント周波数検出部で検出されたアンチフォルマント周波数に基づいて、前記被検者のアデノイド肥大を判定する判定部と、
を備えるアデノイド肥大判定装置。
【請求項２】
前記アンチフォルマント周波数検出部は、
前記音声データの周波数スペクトルの包絡線における第１アンチフォルマント周波数を検出し、
前記判定部は、
前記第１アンチフォルマント周波数が閾値を超えた場合に、前記被検者のアデノイドが肥大していると判定する、
請求項１に記載のアデノイド肥大判定装置。
【請求項３】
前記アンチフォルマント周波数検出部は、
前記音声データの周波数スペクトルの包絡線における第１フォルマント周波数を検出し、
前記第１アンチフォルマント周波数を前記第１フォルマント周波数で正規化し、
前記判定部は、
正規化された周波数に基づいて、前記被検者のアデノイドが肥大しているか否かを判定する、
請求項２に記載のアデノイド肥大判定装置。
【請求項４】
前記アンチフォルマント周波数検出部で前記第１アンチフォルマント周波数が検出される度に、検出された前記第１アンチフォルマント周波数を前記被検者毎に対応付けて記憶する記憶部と、
前記記憶部に記憶された前記被検者における前記第１アンチフォルマント周波数の時系列変化に関する情報を出力する出力部と、
を備える、
請求項２又は３に記載のアデノイド肥大判定装置。
【請求項５】
前記アンチフォルマント周波数検出部は、
ケプストラム分析又は線形予測符号化分析を行って、前記アンチフォルマント周波数を検出する、
請求項１から４のいずれか一項に記載のアデノイド肥大判定装置。
【請求項６】
被検者の発話に係る音声データの周波数スペクトルの包絡線におけるアンチフォルマント周波数を検出するアンチフォルマント周波数検出ステップと、
前記アンチフォルマント周波数検出ステップで検出されたアンチフォルマント周波数に基づいて、前記被検者のアデノイド肥大を判定する判定ステップと、
を含むアデノイド肥大判定方法。
【請求項７】
コンピュータを
被検者の発話に係る音声データの周波数スペクトルの包絡線におけるアンチフォルマント周波数を検出するアンチフォルマント周波数検出部、
前記アンチフォルマント周波数検出部で検出されたアンチフォルマント周波数に基づいて、前記被検者のアデノイド肥大を判定する判定部、
として機能させるプログラム。
【発明の詳細な説明】
【技術分野】
【０００１】
本発明は、アデノイド肥大判定装置、アデノイド肥大判定方法及びプログラムに関する。
【背景技術】
【０００２】
幼少期には、獲得免疫の向上に伴い、咽頭扁桃（アデノイド）と呼ばれるリンパ組織が肥大化する咽頭扁桃肥大（アデノイド増殖症）が発症することがある。一般的には４歳から６歳の間にアデノイドの肥大化のピークをむかえ、その後は成人と同程度まで縮小する。しかしながら、縮小時期を過ぎてもアデノイドの肥大が持続する場合があり、アデノイド肥大は、鼻づまり、閉鼻声、いびき、口呼吸又は睡眠障害（睡眠時無呼吸等）など、多くの症状を併発し、身体に様々な悪影響を及ぼすおそれがあることが知られている。
【０００３】
従来のアデノイドの肥大化の検出又は判定には、Ｘ線撮影や鼻腔通気度測定法などが用いられる（例えば非特許文献１、２参照）。これらの方法によれば、アデノイド肥大化の高精度な測定が可能になる。
【先行技術文献】
【非特許文献】
【０００４】
【非特許文献１】藤岡睦久，”小児のアデノイドに関するＸ線学的研究”，日医大誌，第４７巻，第２号，１９８０年
【非特許文献２】内藤健晴，宮崎総一郎，野中聡，鼻腔通気度測定法（Rhinomanometry）ガイドライン”，日鼻誌４０（４）：３２７〜３３１，２００１年
【発明の概要】
【発明が解決しようとする課題】
【０００５】
しかしながら、上記非特許文献１、２に開示された測定方法では、アデノイドの肥大化の高精度な測定が可能になる一方で、放射性被曝など身体的又は精神的苦痛を伴うという不都合がある。
【０００６】
本発明は、上記実情に鑑みてなされたものであり、身体的又は精神的苦痛を伴わずに、アデノイド肥大の有無を判定することができるアデノイド肥大判定装置、アデノイド肥大判定方法及びプログラムを提供することを目的とする。
【課題を解決するための手段】
【０００７】
上記目的を達成するため、本発明の第１の観点に係るアデノイド肥大判定装置は、
被検者の発話に係る音声データの周波数スペクトルの包絡線におけるアンチフォルマント周波数を検出するアンチフォルマント周波数検出部と、
前記アンチフォルマント周波数検出部で検出されたアンチフォルマント周波数に基づいて、前記被検者のアデノイド肥大を判定する判定部と、
を備える。
【０００８】
この場合、前記アンチフォルマント周波数検出部は、
前記音声データの周波数スペクトルの包絡線における第１アンチフォルマント周波数を検出し、
前記判定部は、
前記第１アンチフォルマント周波数が閾値を超えた場合に、前記被検者のアデノイドが肥大していると判定する、
こととしてもよい。
【０００９】
また、前記アンチフォルマント周波数検出部は、
前記音声データの周波数スペクトルの包絡線における第１フォルマント周波数を検出し、
前記第１アンチフォルマント周波数を前記第１フォルマント周波数で正規化し、
前記判定部は、
正規化された周波数に基づいて、前記被検者のアデノイドが肥大しているか否かを判定する、
こととしてもよい。
【００１０】
前記アンチフォルマント周波数検出部で前記第１アンチフォルマント周波数が検出される度に、検出された前記第１アンチフォルマント周波数を前記被検者毎に対応付けて記憶する記憶部と、
前記記憶部に記憶された前記被検者における前記第１アンチフォルマント周波数の時系列変化に関する情報を出力する出力部と、
を備える、
こととしてもよい。
【００１１】
前記アンチフォルマント周波数検出部は、
ケプストラム分析又は線形予測符号化分析を行って、前記アンチフォルマント周波数を検出する、
こととしてもよい。
【００１２】
本発明の第２の観点に係るアデノイド肥大判定方法は、
被検者の発話に係る音声データの周波数スペクトルの包絡線におけるアンチフォルマント周波数を検出するアンチフォルマント周波数検出ステップと、
前記アンチフォルマント周波数検出ステップで検出されたアンチフォルマント周波数に基づいて、前記被検者のアデノイド肥大を判定する判定ステップと、
を含む。
【００１３】
本発明の第３の観点に係るプログラムは、
コンピュータを
被検者の発話に係る音声データの周波数スペクトルの包絡線におけるアンチフォルマント周波数を検出するアンチフォルマント周波数検出部、
前記アンチフォルマント周波数検出部で検出されたアンチフォルマント周波数に基づいて、前記被検者のアデノイド肥大を判定する判定部、
として機能させる。
【発明の効果】
【００１４】
本発明によれば、アデノイドの肥大に応じて高くなる、被検者の発話に係る音声データの周波数スペクトルの包絡線におけるアンチフォルマント周波数に基づいて、アデノイドの肥大を判定する。このようにすれば、非侵襲に安心で安全な判定が可能となるので、身体的又は精神的苦痛を伴わずに、アデノイド肥大の有無を判定することができる。
【図面の簡単な説明】
【００１５】
【図１】本発明の実施の形態１に係るアデノイド肥大判定装置の構成を示すブロック図である。
【図２】図２（Ａ）及び図２（Ｂ）は、被検者の音声データの周波数スペクトルの波形の一例を示す図である。
【図３】複数の被検者各々の第１アンチフォルマント周波数と、アデノイド肥大の有無との関係を示すグラフである。
【図４】アデノイド肥大判定装置のハードウエア構成を示すブロック図である。
【図５】アデノイド肥大判定装置の演算処理の流れを示すフローチャートである。
【図６】本発明の実施の形態３に係るアデノイド肥大判定装置の構成を示すブロック図である。
【図７】第１アンチフォルマント周波数の時間変化を示すグラフである。
【発明を実施するための形態】
【００１６】
以下、本発明の実施の形態について、図面を参照して詳細に説明する。全図において、同一又は相当する構成要素には、同一の符号が付されている。
【００１７】
実施の形態１．
まず、本発明の実施の形態１について説明する。
【００１８】
図１に示すように、本実施の形態に係る判定システム１００は、アデノイド肥大判定装置１と、マイク２と、アンプ部３と、アナログ／デジタル（Ａ／Ｄ）変換部４と、を備える。アデノイド肥大判定装置１は、アンチフォルマント周波数検出部１０と、判定部１１と、出力部１２と、を備える。
【００１９】
マイク（マイクロフォン）２は、被検者Ｐの発話に係る音声信号を入力する。被検者Ｐは、例えば「んー」というような撥音を含む言葉を発音する。その音声が、マイク２に音声信号として入力される。
【００２０】
アンプ部３は、マイク２に入力された音声信号を増幅する。Ａ／Ｄ変換部４は、増幅されたアナログの音声信号をデジタルの音声データに変換する。これにより、音声データは、例えば、２４ビット、１６ＫＨｚのデジタルデータとして取得される。変換された音声データは、アデノイド肥大判定装置１に入力される。
【００２１】
アンチフォルマント周波数検出部１０は、被検者Ｐの発話に係る音声データに対して周波数解析（ケプストラム分析）を行って、その音声データの周波数スペクトルの包絡線における第１アンチフォルマント周波数を検出する。
【００２２】
ここで、フォルマント周波数とは、図２（Ａ）及び図２（Ｂ）に示すように、音声データの周波数スペクトルの波形に現れる複数の山（ピーク）の部分に相当する周波数である。フォルマント周波数は、被検者Ｐの気道の共鳴特性を表す。これに対し、アンチフォルマント周波数とは、音声の周波数スペクトルの波形に現れる複数の谷の部分に相当する周波数であり、フォルマントとフォルマントとの間に現れる部分の周波数である。アンチフォルマントは、被検者Ｐの気道の反共鳴特性を表す。第１アンチフォルマント周波数Ｆ１は、アンチフォルマント周波数のうち、最も低い周波数である。
【００２３】
被検者Ｐの口腔から放射される音声は、声帯振動の音源情報と調音器官の伝達特性で表現される。音声は調音器官の口腔系と鼻腔系とを経て、口唇及び鼻孔から放射される。
【００２４】
声道の伝達特性は、一般的には、ピーク周波数、すなわちフォルマントにより決定される。しかしながら、アデノイドが肥大化し、鼻腔と上咽頭との間で狭窄が生じると、鼻音化母音や鼻子音では、アデノイドの形やアデノイドと他の器官との結合の度合いに応じて、鼻腔系の音響的変化や鼻腔の閉塞や開放などにともなうアンチフォルマント（反共鳴特性）が変化する。すなわち、アデノイドの肥大化に伴う気道の閉塞により、アンチフォルマント周波数が変化することから、本実施の形態に係るアデノイド肥大判定装置１では、第１アンチフォルマント周波数Ｆ１を求めることにより、アデノイドの肥大の有無の判定を行う。
【００２５】
判定部１１は、アンチフォルマント周波数検出部１０で検出された第１アンチフォルマント周波数Ｆ１と閾値とを比較することにより、被検者Ｐにおいてアデノイドの肥大の有無を判定する。閾値は任意に設定することができる。
【００２６】
図２（Ａ）には、アデノイドが肥大していない被検者Ｐの発話に係る音声データの周波数スペクトルの波形が示され、図２（Ｂ）には、アデノイドが肥大している被検者Ｐの発話に係る音声データの周波数スペクトルの波形が示されている。図２（Ａ）及び図２（Ｂ）を比較するとわかるように、アデノイドが肥大していない被検者Ｐについては、第１アンチフォルマント周波数Ｆ１は、３００Ｈｚと低くなっている。その一方で、アデノイドが肥大している被検者Ｐについては、第１アンチフォルマント周波数Ｆ１は、７５０Ｈｚ程度と高くなっている。そこで、閾値を、３００Ｈｚと７５０Ｈｚとの間に設定すれば、第１アンチフォルマント周波数Ｆ１が、閾値より高いか低いかによって、その被検者Ｐのアデノイドが肥大しているか否かを判定することができる。
【００２７】
図３には、複数の被検者Ｐ各々の第１アンチフォルマント周波数Ｆ１とアデノイドの肥大化の有無を示すグラフが示されている。図３に示すように、全体として、アデノイドが肥大化している被検者Ｐは、波長換算で、第１アンチフォルマント周波数Ｆ１が高くなっている（波長が低くなっている）。このグラフからすれば、アデノイドの肥大化を判定する閾値としては、波長換算で１００ｍｍ前後となる周波数を選択すれば、アデノイド肥大を高い確率で判定することが可能となる。なお、声道長は個人差があるため、フォルマント周波数からその長さを推定し、アンチフォルマント位置はその長さに対する比率で選択することも可能である。
【００２８】
図４に示すように、アデノイド肥大判定装置１は、制御部３１、主記憶部３２、外部記憶部３３、操作部３４、表示部３５及び入出力インターフェイス部３６をハードウエア構成として備えている。主記憶部３２、外部記憶部３３、操作部３４、表示部３５及び入出力インターフェイス部３６はいずれも内部バス３０を介して制御部３１に接続されている。
【００２９】
制御部３１は、ＣＰＵ（Central Processing Unit）等から構成されている。このＣＰＵが、外部記憶部３３に記憶されているプログラム３９に従ってフーリエ変換、対数変換、逆フーリエ変換、又は閾値判定などの各種演算処理を実行することにより、図１に示すアデノイド肥大判定装置１の各構成要素が実現される。なお、図１に示すアデノイド肥大判定装置１の各構成要素の実現には、フーリエ変換、対数変換に代えて、ＬＰＣ（linear Prediction Coding）メルケプストラム演算を行って、その係数を用いることも可能である。
【００３０】
主記憶部３２は、ＲＡＭ（Random-Access Memory）等から構成されている。主記憶部３２には、外部記憶部３３に記憶されているプログラム３９がロードされる。この他、主記憶部３２は、制御部３１の作業領域（データの一時記憶領域）として用いられる。
【００３１】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成される。外部記憶部３３には、制御部３１に実行させるためのプログラム３９があらかじめ記憶されている。また、外部記憶部３３は、制御部３１の指示に従って、このプログラム３９の実行の際に用いられるデータを制御部３１に供給し、制御部３１から供給されたデータを記憶する。
【００３２】
上述のアンチフォルマント周波数検出部１０及び判定部１１は、制御部３１に対応している。
【００３３】
操作部３４は、キーボード及びマウスなどのポインティングデバイス等と、キーボードおよびポインティングデバイス等を内部バス３０に接続するインターフェイス装置から構成されている。操作部３４を介して、操作者が操作した内容に関する情報が制御部３１に入力される。
【００３４】
表示部３５は、ＣＲＴ（Cathode Ray Tube）またはＬＣＤ（Liquid Crystal Display）などから構成され、操作者が操作情報を入力する場合は、操作用の画面が表示される。表示部３５には、例えば、アデノイドの肥大の判定結果等が表示される。この表示部３５が、出力部１２に対応する。
【００３５】
入出力インターフェイス部３６は、外部機器から入力される信号を入力するインターフェイスである。この入出力インターフェイス部３６を介して、Ａ／Ｄ変換部４でデジタル変換された音声データがアデノイド肥大判定装置１に入力される。
【００３６】
なお、この他、通信ネットワークを介して通信可能な通信インターフェイスを有していてもよい。このような通信インターフェイスを介して受信した音声データも判定対象とすることができる。
【００３７】
図５には、アデノイド肥大判定装置１の処理の流れが示されている。図５に示すように、まず、アンチフォルマント周波数検出部１０が、被検者Ｐの発話に係る音声データに対して周波数解析を行って、音声データの周波数スペクトルの包絡線における第１アンチフォルマント周波数を検出する（ステップＳ１；アンチフォルマント周波数検出ステップ）。
【００３８】
具体的には、アンチフォルマント周波数検出部１０は、入力した音声データから切り出した時間波形データに対して離散フーリエ変換を行い、その周波数成分を求める（ステップＳ１０）。続いて、アンチフォルマント周波数検出部１０は、ステップＳ１で求めた周波数成分を対数変換する（ステップＳ１１）。さらに、アンチフォルマント周波数検出部１０は、対数変換された周波数成分に対して逆離散フーリエ変換を行う（ステップＳ１２）。これにより、例えば、図２（Ａ）及び図２（Ｂ）に示すような周波数スペクトルの包絡線の波形データが得られる。続いて、アンチフォルマント周波数検出部１０は、周波数スペクトルの包絡線の波形データから、第１アンチフォルマント周波数Ｆ１を探索する（ステップＳ１３）。なお、アンチフォルマント周波数検出部１０は、フーリエ変換、対数変換に代えて、ＬＰＣメルケプストラム演算を行って、その係数を用いることも可能である。
【００３９】
次に、判定部１１は、アンチフォルマント周波数検出部１０で検出された第１アンチフォルマント周波数Ｆ１に基づいて、被検者Ｐのアデノイドの肥大を判定する（ステップＳ２；判定ステップ）。具体的には、判定部１１は、検出された第１アンチフォルマント周波数Ｆ１が閾値を超える場合には、アデノイドが肥大しているおそれがあると判定し、第１アンチフォルマント周波数Ｆ１が閾値以下である場合には、アデノイドは肥大していないと判定する。
【００４０】
次に、出力部１２は、判定部１１の判定結果を出力する（ステップＳ３；出力ステップ）。具体的には、表示部３５は、判定部１１における判定結果、すなわち被検者Ｐのアデノイドが肥大化しているか否かを、表示する。
【００４１】
以上詳細に説明したように、本実施の形態によれば、アデノイド肥大に応じて高くなる、被検者Ｐの発話に係る音声データの周波数スペクトルの包絡線における第１アンチフォルマント周波数Ｆ１に基づいて、アデノイド肥大を判定する。このようにすれば、非侵襲に安心で安全な判定が可能となるので、身体的又は精神的苦痛を伴わずに、アデノイド肥大を判定することができる。アデノイド肥大と第１アンチフォルマント周波数Ｆ１との相関性は、本発明者が発見した事実であり、従来技術から容易に想到できる特徴ではない。
【００４２】
実施の形態２．
次に、本発明の実施の形態２について説明する。
【００４３】
本実施の形態に係る判定システムの構成は、図１に示す上記実施の形態１に係る判定システムの構成と同じである。上記実施の形態１では、被検者Ｐの発話に係る音声データの周波数スペクトルの包絡線における第１アンチフォルマント周波数Ｆ１を直接閾値と比較することにより、アデノイドの肥大化の有無を判定した。本実施の形態に係るアデノイド肥大判定装置１は、第１アンチフォルマント周波数Ｆ１を、第１フォルマント周波数Ｆ１’（図２（Ａ）及び図２（Ｂ）参照）を用いて正規化し、正規化された第１アンチフォルマント周波数ＮＦ１に基づいて、アデノイド肥大の有無を判定する。
【００４４】
具体的には、アンチフォルマント周波数検出部１０は、被検者Ｐの発話に係る音声データに対して周波数解析を行って、音声データの周波数スペクトルの包絡線における第１フォルマント周波数Ｆ１’を検出し、第１アンチフォルマント周波数Ｆ１を第１フォルマント周波数Ｆ１’で正規化する。
【００４５】
第１アンチフォルマント周波数Ｆ１及び第１フォルマント周波数Ｆ１’は、気道の形状の個人差などによって変化するが、以下の式（１）に示すように、第１アンチフォルマント周波数Ｆ１を第１フォルマント周波数Ｆ１’で正規化することにより、気道の形状の個人差の影響を低減した状態で、アデノイド肥大の有無を判定することができる。
ＮＦ１＝Ｆ１／Ｆ１’…（１）
【００４６】
判定部１１は、正規化された第１アンチフォルマント周波数ＮＦ１に基づいて、被検者Ｐにおけるアデノイド肥大の有無を判定する。具体的には、正規化された第１アンチフォルマント周波数ＮＦ１を閾値と比較して、閾値を超えた場合には、アデノイドが肥大していると判定する。
【００４７】
出力部１２は、上記実施の形態１と同様に、判定部１１の判定結果を出力する。
【００４８】
以上述べたように、本実施の形態によれば、第１フォルマント周波数Ｆ１’で正規化された第１アンチフォルマント周波数ＮＦ１に基づいて、被検者Ｐのアデノイド肥大の有無を判定する。これにより、できる限りアデノイド以外の気道の形状の個人差を排除した状態で、アデノイド肥大の有無を判定することができるので、判定精度を向上することができる。
【００４９】
実施の形態３．
次に、本発明の実施の形態３について説明する。
【００５０】
上記各実施の形態では、ある時点における被検者Ｐのアデノイド肥大の有無を判定した。本実施の形態では、ある被検者Ｐのアデノイドの経時変化を測定する。
【００５１】
図６に示すように、本実施の形態に係るアデノイド肥大判定装置１は、記憶部１３を備える。記憶部１３は、アンチフォルマント周波数検出部１０で第１アンチフォルマント周波数Ｆ１が検出される度に、検出された第１アンチフォルマント周波数Ｆ１を被検者Ｐ毎に対応付けて記憶する。出力部１２は、記憶部１３に記憶された被検者Ｐにおける第１アンチフォルマント周波数Ｆ１の時系列変化に関する情報を出力する。
【００５２】
具体的には、アンチフォルマント周波数検出部１０は、被検者Ｐの発話に係る音声データに対してケプストラム解析を行って、第１アンチフォルマント周波数Ｆ１を検出する。判定部１１は、検出された第１アンチフォルマント周波数Ｆ１に基づいて、被検者Ｐにおいてアデノイドが肥大しているか否かを判定する。第１アンチフォルマント周波数Ｆ１及びアデノイド肥大の判定結果は、記憶部１３に記憶される。
【００５３】
上述の第１アンチフォルマント周波数Ｆ１及びアデノイド肥大の判定は、長期間にわたって複数回実施され、その都度、第１アンチフォルマント周波数Ｆ１及びアデノイド肥大の判定結果が記憶部１３に記憶される。出力部１２は、必要に応じて、記憶部１３に記憶された第１アンチフォルマント周波数Ｆ１及びアデノイド肥大化の判定結果の履歴、すなわち時系列変化を出力する。出力された第１アンチフォルマント周波数Ｆ１及びアデノイド肥大の判定結果の時系列変化（例えば、図７参照）を見れば、その被検者Ｐのアデノイドが、どのように変化しているか、例えば縮小しているか否かを判定することができる。
【００５４】
以上述べたように、本実施の形態によれば、被検者Ｐの第１アンチフォルマント周波数Ｆ１の時系列変化に基づいて、その被検者Ｐのアデノイド肥大の時系列変化を求めることができる。このようにすれば、例えば、被検者Ｐが成長するにつれて、アデノイドが収縮したことなどを確認することができる。
【００５５】
なお、本実施の形態に係るアデノイド肥大判定装置１においても、第１フォルマント周波数Ｆ１’で正規化された第１アンチフォルマント周波数ＮＦ１に基づいて被検者Ｐにおいてアデノイドが肥大しているか否かを判定するようにしてもよい。
【００５６】
実施の形態４．
次に、本発明の実施の形態４について説明する。
【００５７】
本実施の形態に係る判定システムの構成は、図１に示す上記実施の形態１に係る判定システムの構成と同じである。上記各実施の形態に係るアデノイド肥大判定装置１では、ケプストラム解析により、第１アンチフォルマント周波数Ｆ１を検出した。本実施の形態では、線形予測符号化（ＬＰＣ；linear Prediction Coding）分析により、第１アンチフォルマント周波数Ｆ１を検出する。
【００５８】
具体的には、アンチフォルマント周波数検出部１０は、線形予測符号化分析を行って、第１アンチフォルマント周波数Ｆ１を検出する。線形予測符号化分析は、自己回帰モデルに基づくパラメトリック法であり、声道における共鳴特性、反共鳴特性をモデリングする方法である。
【００５９】
線形予測符号化分析では、音声波形の各時点のサンプル値ｘ（ｎ）が過去のｐ個のサンプル値の線形１次結合で近似される点に着目した分析を行う。すなわち、ｘ（ｎ）は、次の差分方程式（式（２））にしたがって生成されると仮定する。
ｘ（ｎ）＋α１ｘ（ｎ−１）＋…＋αｐｘ（ｎ−ｐ）＝ε（ｎ）…（２）
ここで、αｉは、線形予測係数である。また、ε（ｎ）は、平均値０、分散σ２の無相関な確率変数であり、線形予測残差と呼ぶ。
【００６０】
線形予測符号化分析では、このε（ｎ）の２乗和、すなわち２乗残差和ηを最小にするような線形予測係数αｉ（ｉ＝１〜ｐ）を求める。具体的には、サンプリング区間［ｎ０，ｎ１］における２乗残差和ηに対する線形予測係数αｉ（ｉ＝１〜ｐ）の偏微分をそれぞれ０とするｐ個の連立１次方程式を解けばよい。
【００６１】
アンチフォルマント周波数検出部１０は、求めた線形予測係数αｉ（ｉ＝１〜ｐ）に基づいて、被検者Ｐの発話に係る音声データの周波数スペクトルの包絡線を生成し、包絡線における第１アンチフォルマント周波数Ｆ１を求める。
【００６２】
上述のように、本実施の形態によれば、離散フーリエ変換や対数変換などの複雑な演算を行うことなく、比較的演算量の少ない線形予測分析の演算処理により、第１アンチフォルマント周波数Ｆ１を求めることが可能となる。
【００６３】
なお、本実施の形態に係るアデノイド肥大判定装置１においても、第１フォルマント周波数Ｆ１’で正規化された第１アンチフォルマント周波数ＮＦ１に基づいて、被検者Ｐにおいてアデノイドが肥大しているか否かを判定するようにしてもよい。
【００６４】
また、本実施の形態に係るアデノイド肥大判定装置１においても、被検者Ｐの第１アンチフォルマント周波数Ｆ１の時系列変化に基づいて、その被検者Ｐのアデノイド肥大の時系列変化を求めるようにしてもよい。
【００６５】
また、上記各実施の形態では、第１アンチフォルマント周波数Ｆ１に基づいて、被検者Ｐのアデノイド肥大を検出したが、本発明はこれには限られない。第２アンチフォルマント周波数Ｆ２、第３アンチフォルマント周波数Ｆ３又は他のアンチフォルマント周波数に基づいて、被検者Ｐのアデノイド肥大の有無を判定するようにしてもよい。
【００６６】
例えば、第１アンチフォルマント周波数Ｆ１以外の第２アンチフォルマント周波数Ｆ２，第３アンチフォルマント周波数Ｆ３、…（図２（Ａ）及び図２（Ｂ）参照）と閾値との比較、複数のアンチフォルマント周波数を組み合わせた値と閾値との比較などにより、被検者Ｐのアデノイド肥大の有無を判定するようにしてもよい。
【００６７】
また、上記各実施の形態では、アデノイド肥大判定装置１は、携帯端末又はパーソナルコンピュータなどの一般的なコンピュータを用いて実現してもよいし、専用の装置として実現してもよい。
【００６８】
その他、アデノイド肥大判定装置１のハードウエア構成やソフトウエア構成は一例であり、任意に変更および修正が可能である。
【００６９】
制御部３１、主記憶部３２、外部記憶部３３、操作部３４、表示部３５及び入出力インターフェイス部３６、内部バス３０などから構成されるアデノイド肥大判定装置１の処理を行う中心となる部分は、上述のように、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行するアデノイド肥大判定装置１を構成してもよい。また、インターネット等の通信ネットワーク上のサーバ装置が有する記憶装置に当該コンピュータプログラムを格納しておき、通常のコンピュータシステムがダウンロード等することでアデノイド肥大判定装置１を構成してもよい。
【００７０】
コンピュータの機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００７１】
搬送波にコンピュータプログラムを重畳し、通信ネットワークを介して配信することも可能である。たとえば、通信ネットワーク上の掲示板（BBS, Bulletin Board System）にコンピュータプログラムを掲示し、ネットワークを介してコンピュータプログラムを配信してもよい。そして、このコンピュータプログラムを起動し、ＯＳの制御下で、他のアプリケーションプログラムと同様に実行することにより、前記の処理を実行できるように構成してもよい。
【００７２】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００７３】
本発明は、アデノイド肥大化の判定に適用することができる。
【符号の説明】
【００７４】
１  アデノイド肥大判定装置、２  マイク、３  アンプ部、４  アナログ／デジタル（Ａ／Ｄ）変換部、１０  アンチフォルマント周波数検出部、１１  判定部、１２  出力部、１３  記憶部、３０  内部バス、３１  制御部、３２  主記憶部、３３  外部記憶部、３４  操作部、３５  表示部、３６  入出力インターフェイス部、３９  プログラム、１００  判定システム、Ｐ  被検者
【図１】
2019150234.tif 000003
【図２】
2019150234.tif 000004
【図３】
2019150234.tif 000005
【図４】
2019150234.tif 000006
【図５】
2019150234.tif 000007
【図６】
2019150234.tif 000008
【図７】
2019150234.tif 000009